(57)【要約】【課題】モルタル等の流入を規制しつつ、柱等の突出部周囲であっても設置可能な換気パッキンを形成するパッキン形成部材及び換気パッキンを提供することを目的とする。【解決手段】基礎１の上部にて並べて配置されることにより、基礎１と上部構造３との間に介装される換気パッキン５を形成するパッキン形成部材６，７であって、上部構造３を受ける平板部６ａ，７ａと、平板部６ａ，７ａの下面側に換気路Ｒを形成する換気部６ｂ，７ｂと、を備え、平板部６ａ，７ａには、強度が他の部分よりも弱く、且つ上部構造３から基礎１に向けて突出する柱部材３ａを避ける切欠部Ｃを形成するための開口ガイド部１１が設けられていることを特徴とする。【選択図】図４
2011226206.tif 000002
【特許請求の範囲】
【請求項１】
基礎の上部にて並べて配置されることにより、前記基礎と上部構造との間に介装される換気パッキンを形成するパッキン形成部材であって、
前記上部構造を受ける平板部と、
前記平板部の下面側に換気路を形成する換気部と、を備え、
前記平板部には、強度が他の部分よりも弱く、且つ前記上部構造から前記基礎に向けて突出する突出部を避ける切欠部を形成するための開口ガイド部が設けられていることを特徴とするパッキン形成部材。
【請求項２】
前記平板部は、前記換気部に連結されると共に該換気部と一体となって上部構造を支持する厚肉部と、前記厚肉部に連結された薄肉部とを有し、
前記開口ガイド部は、前記薄肉部に設けられていることを特徴とする請求項１記載のパッキン形成部材。
【請求項３】
前記平板部の下面側には、前記基礎の梁部分の上部に配置された際に前記梁部分の一方の側部側から他方の側部側に向けて延在する補強部が形成されており、
前記補強部には、並んで配置される他のパッキン形成部材との間で前記平板部同士を突き合わせた状態で着脱自在に連結される連結部が設けられていることを特徴とする請求項２記載のパッキン形成部材。
【請求項４】
前記補強部は、少なくとも前記平板部の長手方向の両方の端寄りの位置にそれぞれに設けられており、
前記開口ガイド部は、前記平板部の長手方向の端部から前記平板部の側部に亘って前記厚肉部及び前記補強部に沿って延在していることを特徴とする請求項３に記載のパッキン形成部材。
【請求項５】
前記換気部は、前記平板部の長手方向の一方の端部から他方の端部に亘って等間隔で突出する複数枚の板片を備えていることを特徴とする請求項１〜４のいずれか一項記載のパッキン形成部材。
【請求項６】
前記複数枚の板片は、前記平板部の縁に沿って配置され、
前記換気部には、前記平板部の縁から張り出し、且つ先端側で前記平板部の下面側に突き出すことで前記複数枚の板片を覆う水切り部が設けられていることを特徴とする請求項５記載のパッキン形成部材。
【請求項７】
前記水切り部には、前記上部構造を受ける面側に前記平板部の長手方向に沿った溝が形成されていることを特徴とする請求項６記載のパッキン形成部材。
【請求項８】
基礎の上部に配置され、前記基礎と上部構造との間に介装される換気パッキンであって、
前記上部構造を受ける平板部と、
前記平板部の下面側に換気路を形成する換気部と、を備え、
前記平板部には、強度が他の部分よりも弱く、且つ前記上部構造から前記基礎に向けて突出する突出部を避ける切欠部を形成するための開口ガイド部が設けられていることを特徴とする換気パッキン。
【請求項９】
前記平板部は、前記換気部に連結されると共に該換気部と一体となって上部構造を支持する厚肉部と、前記厚肉部に連結された薄肉部とを有し、
前記開口ガイド部は、前記薄肉部に設けられていることを特徴とする請求項８記載の換気パッキン。
【請求項１０】
前記平板部の下面側には、前記基礎の梁部分の上部に配置された際に前記梁部分の一方の側部側から他方の側部側に向けて延在する補強部が形成されており、
前記補強部は、少なくとも前記平板部の長手方向の両方の端寄りの位置にそれぞれに設けられており、
前記開口ガイド部は、前記平板部の長手方向の端部から前記平板部の側部に亘って前記厚肉部及び補強部に沿って延在していることを特徴とする請求項９記載の換気パッキン。
【請求項１１】
前記換気部は、前記平板部の長手方向の一方の端部から他方の端部にわたって等間隔で突出する複数枚の板片を備えていることを特徴とする請求項８〜１０のいずれか一項記載の換気パッキン。
【請求項１２】
前記複数枚の板片は、前記平板部の縁に沿って配置され、
前記換気部には、前記平板部の縁から張り出し、且つ先端側で前記平板部の下面側に突き出すことで前記複数枚の板片を覆う水切り部が設けられていることを特徴とする請求項１１記載の換気パッキン。
【請求項１３】
前記水切り部には、前記上部構造を受ける面側に前記平板部の長手方向に沿った溝が形成されていることを特徴とする請求項１２記載の換気パッキン。
【発明の詳細な説明】
【技術分野】
【０００１】
本発明は、建物の上部構造と基礎との間に介装される換気パッキンを形成するパッキン形成部材及び換気パッキンに関する。
【背景技術】
【０００２】
従来、建物の上部構造と基礎との間に換気パッキンを介装し、このパッキン材に設けられた通気孔により、上部構造の下方であって基礎で包囲された床下空間の換気を行うことを可能とした工法が知られている。かかる工法に用いられる換気パッキンとして、例えば特許文献１には、建造物の基礎と土台との間に介装されるパッキン材であって、該パッキン材の長手板状の本体部には、上下方向に亙り貫通する複数の開口部が所定間隔で設けられている一方、この本体部の上面側は平板状に成形され、かつ、この上面側からは、凹凸壁が所定間隔で鉛直下方に櫛歯状に垂設されており、これら隣り合う凹凸壁の間には、幅方向に貫通する複数の換気孔が連続して形成されているとともに、これら凹凸壁の突出部が本体部における長辺の側部にそれぞれ突出している構成が開示されている。該土台パッキン材においては、土台の外側面に板状の外壁下地材が立設されるとき、この外壁下地材の下端部をパッキン材の凹凸壁の突出部の上面に載置可能であって、かつ、この外壁下地材には、胴縁を介して外壁外装材が設けられており、この外壁下地材と外壁外装材との隙間において、パッキン材の突出部間から上方に通気可能となっている。
【先行技術文献】
【特許文献】
【０００３】
【特許文献１】特開２００９−２１５８０９号公報
【発明の概要】
【発明が解決しようとする課題】
【０００４】
しかしながら、上記特許文献１に開示の土台パッキンにおいては、上下を貫通する開口部が形成されているため、当該土台パッキンを基礎上に設置すると共に当該土台パッキン上に外壁パネルと床パネルとを設置し、これら外壁パネル、床パネル及び基礎の間をモルタルにより埋める工法に採用すると、開口部を通じて土台パッキン内にモルタルが流入してしまうこととなり、土台パッキンとしての通気機能が著しく損なわれてしまうという問題があった。かかる問題を解決すべく、開口部を単に塞ぐことが考えられるが、この場合、上部構造から突出して基礎に締結される柱等が存在する工法においては、開口部に柱を挿通することができないため、当該柱周囲に土台パッキンを設置することができなくなってしまうという問題を解決できない。
【０００５】
本発明は、このような問題を解決するためになされたものであり、モルタル等の流入を規制しつつ、柱等の突出部周囲であっても設置可能な換気パッキンを形成するパッキン形成部材及び換気パッキンを提供することを目的とする。
【課題を解決するための手段】
【０００６】
上記課題を解決すべく、本発明の構成は、基礎の上部にて並べて配置されることにより、基礎と上部構造との間に介装される換気パッキンを形成するパッキン形成部材であって、上部構造を受ける平板部と、平板部の下面側に換気路を形成する換気部と、を備え、平板部には、強度が他の部分よりも弱く、且つ上部構造から基礎に向けて突出する突出部を避ける切欠部を形成するための開口ガイド部が設けられていることを特徴とする。
【０００７】
本発明に係るパッキン形成部材を、例えば、上部構造からの突出部に対向しない位置に設置する際には、平板部は塞がれているので、モルタル等が通気部に流れ込む虞はなく、通気部の通気機能を良好に発揮させることができる。また、上部構造の突出部に対応する位置に設置される場合には、開口ガイド部に沿って平板部の一部を切除などして当該平板部に切欠部を形成することで容易に突出部を避けることができ、従って、突出部の周囲に換気パッキンを配置することが可能となる。その結果として、本発明によれば、例えば、換気パッキン上に載置される外壁や床部材の間にモルタル等を流し込む施工に用いても当該モルタル等の換気部への流入を規制しつつ、柱等の突出部周囲であっても設置可能な換気パッキンを形成することができる。
【０００８】
さらに、平板部は、換気部に連結されると共にその換気部と一体となって上部構造を支持する厚肉部と、厚肉部に連結された薄肉部とを有し、開口ガイド部は、薄肉部に設けられていると好適である。開口ガイド部を平板部の薄肉部に形成することで開口ガイド部に沿って平板部の一部を切り離し易い構成を実現できる。さらには、平板部は、換気部と対応する位置が厚肉部として形成されるため、その厚肉部と換気部とが一体となって強度を発揮することとなる。その結果、上部構造と基礎の間に配置された際の当該上部構造からの荷重にも充分に耐える構成を実現し易くなる。
【０００９】
さらに、平板部の下面側には、基礎の梁部分の上部に配置された際に梁部分の一方の側部側から他方の側部側に向けて延在する補強部が形成されており、補強部には、並んで配置される他のパッキン形成部材との間で平板部同士を突き合わせた状態で着脱自在に連結される連結部が設けられていると好適である。この構成によれば、平板部の薄肉部の一部に補強部が延在することとなるので、パッキン形成部材の強度向上に有効であり、更に、一対のパッキン形成部材を連結して形成される換気パッキンの更なる強度向上に有効である。
また、パッキン形成部材の補強部同士を連結部により連結することで換気パッキンを容易に形成することができる。また、このようにして形成される換気パッキンは、平板部同士を突き合わされた状態で連結されるので上面の平坦さは維持されることとなり、換気パッキン上面に不陸が生じることを防止することができるものとなっている。
【００１０】
さらに補強部は、少なくとも平板部の長手方向の両方の端寄りの位置にそれぞれに設けられており、開口ガイド部は、平板部の長手方向の端部から平板部の側部に亘って厚肉部及び補強部に沿って延在していると好適である。この構成に係る開口ガイド部は、パッキン形成部材のうち強度が高い部分に添って形成されていると共に、開口ガイド部の端が開放されている平板部の端部または側部に形成されているため、開口ガイド部に沿ってハサミ等の切断器具を挿入しやすく、従って、開口ガイド部を切除して切欠部を形成し易いものなっている。また、平板部の側部と端部との連絡部位である頂部が開口ガイド部に包囲されることとなり、その頂部が平板部の長手方向から見ても或いは長手方向に垂直な方向から見ても片持ち梁状となっているため、端部力を加えやすく、さらには、その頂部に力を付与することで平板部を開口ガイド部に沿って折り曲げて容易に切欠部を形成することができる。
【００１１】
さらに換気部は、平板部の長手方向の一方の端部から他方の端部に亘って等間隔で突出する複数枚の板片を備えていると好適である。この構成によれば、換気部の強度を平板部の長手方向に亘って均質に維持した状態で、長手方向に亘って均質な性能を有する換気路を形成することができる。
【００１２】
複数枚の板片は、平板部の縁に沿って配置され、換気部には、平板部の縁から張り出し、且つ先端側で平板部の下面側に突き出すことで複数枚の板片を覆う水切り部が設けられていると好適である。この構成によれば、換気部内部に向けての雨水の浸入を防止することができる。また、換気部の板片が水切り部で覆われることとなるので、複数の板片が水切り部によって隠されることとなり、意匠性の向上が図られることはもちろん、板片の間に物を詰め込む等の悪戯の防止も図ることができる。
【００１３】
さらに、水切り部には、上部構造を受ける面側に平板部の長手方向に沿った溝が形成されていると好適である。この構成によれば、上部構造から水切り部上面に伝ってくる水分は、毛管現象等によりそのまま上部構造とパッキン形成部材との間を伝って室内内部に流れ込む経路が生じると考えられるが、上記構成によれば、その経路を横切るように溝が形成されることとなり、経路を通る水分は、溝に受け止められることとなり、それ室内側にまで水が伝わってしまうことを著しく抑制することができる。
【００１４】
また、本発明は、基礎の上部に配置され、基礎と上部構造との間に介装される換気パッキンであって、上部構造を受ける平板部と、平板部の下面側に換気路を形成する換気部と、を備え、平板部には、強度が他の部分よりも弱く、且つ上部構造から基礎に向けて突出する突出部を避ける切欠部を形成するための開口ガイド部が設けられていることを特徴とする。
【００１５】
本発明に係る換気パッキンを、例えば、上部構造からの突出部に対向しない位置に設置する際には、平板部は塞がれているので、モルタル等が通気部に流れ込む虞はなく、通気部の通気機能を良好に発揮させることができる。また、上部構造の突出部に対応する位置に設置される場合には、開口ガイド部を切除などして平板部に切欠部を形成することで容易に突出部を避けることができ、従って、突出部の周囲にも配置することが可能となる。その結果として、本発明によれば、モルタル等の流入を防ぎつつ、柱等の突出部周囲であっても設置することができる。
【００１６】
さらに、平板部は、換気部に連結されると共にその換気部と一体となって上部構造を支持する厚肉部と、厚肉部に連結された薄肉部とを有し、開口ガイド部は、薄肉部に設けられていると好適である。開口ガイド部を平板部の薄肉部に形成することで開口ガイドに沿って平板部の一部を切り離し易い構成を実現できる。さらには、平板部は、換気部と対応する位置が厚肉部として形成されるため、その厚肉部と換気部とが一体となって強度を発揮することとなる。その結果、上部構造と基礎の間に配置された際の挟持力にも充分に耐える構成を実現し易くなる。
【００１７】
さらに、平板部の下面側には、基礎の梁部分の上部に配置された際に基礎の一方の側部側から他方の側部側に向けて延在する補強部が形成されており、補強部は、少なくとも平板部の長手方向の両方の端寄りの位置にそれぞれに設けられており、開口ガイド部は、平板部の長手方向の端部から平板部の側部に亘って厚肉部及び補強部に沿って延在していると好適である。この構成によれば、平板部の薄肉部の一部に補強部が延在することとなるので、強度向上に有効である。また、開口ガイド部は、換気パッキンのうち強度が高い部分に添って形成されていると共に、開口ガイド部の端が開放されている平板部の端部または側部に形成されているため、開口ガイド部に沿ってハサミ等の切断器具を挿入しやすく、従って、開口ガイド部を切除して切欠部を形成し易いものなっている。また、平板部の側部から端部に連絡される頂部が開口ガイド部に包囲されることとなり、その頂部が平板部の長手方向から見ても或いは長手方向に垂直な方向から見ても片持ち梁状となっているため、端部力を加えやすく、さらには、その頂部に力を付与することで平板部を開口ガイド部に沿って折り曲げて容易に切欠部を形成することができる。
【００１８】
さらに換気部は、平板部の長手方向の一方の端部から他方の端部にわたって等間隔で突出する複数枚の板片を備えていると好適である。この構成によれば、換気部の強度を平板部の長手方向に亘って均質に維持した状態で、長手方向に亘って均質な性能を有する換気路を形成することができる。
【００１９】
さらに複数枚の板片は、平板部の縁に沿って配置され、換気部には、平板部の縁から張り出し、且つ先端側で平板部の下面側に突き出すことで複数枚の板片を覆う水切り部が設けられていると好適である。この構成によれば、換気部内部に向けての雨水の浸入を防止することができる。また、換気部の板片が水切り部で覆われることとなるので、複数の板片が水切り部によって隠されることとなり、意匠性の向上が図られることはもちろん、板片の間に物を詰め込む等の悪戯の防止も図ることができる。
【００２０】
さらに水切り部には、上部構造を受ける面側に平板部の長手方向に沿った溝が形成されていると好適である。この構成によれば、上部構造から水切り部上面に伝ってくる水分は、毛管現象等によりそのまま上部構造とパッキン形成部材との間を伝って室内内部に流れ込む経路が生じると考えられるが、上記構成によれば、その経路を横切るように溝が形成されることとなり、経路を通る水分は、溝に受け止められることとなり、それ室内側にまで水が伝わってしまうことを著しく抑制することができる。
【発明の効果】
【００２１】
本発明によれば、モルタル等の流入を規制しつつ、柱等の突出部周囲であっても設置可能な換気パッキンを形成できる。
【図面の簡単な説明】
【００２２】
【図１】建物の基礎の一例を示す平面図である。
【図２】基礎の上に突出部が立設され、更に突出部を避けて換気パッキンが形成された状態を示す斜視図である。
【図３】図１のＩＩＩ−ＩＩＩ線に沿った断面図である。
【図４】本実施形態に係る一対のパッキン形成部材を示す斜視図である。
【図５】本実施形態に係る一対のパッキン形成部材を部分破断して示す平面図である。
【図６】図５のＶＩ−ＶＩ線に沿った断面図である。
【発明を実施するための形態】
【００２３】
以下、本発明の好適な実施形態について図面を参照しながら説明する。
【００２４】
木造住宅などの上部構造の重量が比較的軽い躯体を基礎で受ける場合には、柱から伝達された力を基礎へ伝える土台と基礎と間に換気パッキンを介装することで換気路が形成される。一方で、鉄骨造の建物などでは、上部構造の重量が重いために柱部材などを直接、基礎で受ける必要がある。そのため、この種の建物では、柱部材を避けるようにして換気パッキンが基礎の上端と上部構造との間に介装されて換気路が形成される。本実施形態に係る換気パッキンは、鉄骨造の建物などで利用される。
【００２５】
図１〜図３に示されるように、基礎１は、例えば、鉄筋コンクリート製或いは鉄骨梁を架設して形成される布基礎やべた基礎などであり、基礎梁（梁部分）１ａや基礎スラブなどを備えている。上部構造３は、柱部材３ａ、床部材３ｂ（図３参照）、外壁受けプレート３ｃ、外壁３ｄ、モルタル３ｅ、及び外壁受けプレートを支持する支持部材３ｆなどを備えて構成されている。上部構造３から基礎１に向けて突出された柱部材（突出部）３ａは、基礎１の柱脚や基礎梁１ａの上部に立設される。基礎梁１ａの上端には、柱部材３ａを避けるようにして複数の換気パッキン５が並べて配置され、上部構造３との間で介装されている。複数の換気パッキン５は、柱部材３ａを避け、且つ包囲するように効率よく配置されるので、換気パッキン５と柱部材３ａとの間に生じる隙間は小さく、従って換気パッキン５の内部へのモルタル３ｅの流入は規制される。
【００２６】
なお、本実施形態に係る柱部材３ａの下端部には、柱脚カバー４ａが巻装されており、その柱脚カバー４ａを介して柱部材３ａの周囲を換気パッキン５が包囲するものとなり、柱脚カバー４ａによって柱部材３ａの柱脚部と該柱脚部の周囲を包囲して設けられる換気パッキン５との間に生じる虞がある隙間が略完全に塞がれるものとなる。また、支持部材３ｆも上部構造３から突出して基礎１に固定されており、その支持部材３ｆには換気パッキン５の上面となる位置に対応させてモルタル受けプレート４ｂが設置されており、そのモルタル受けプレート４ｂによって支持部材３ｆと換気パッキン５との間に生じる虞がある隙間が略完全に塞がれるのとなる。この状態で、換気パッキン５の上方の隙間にモルタル３ｅが充填され、そのモルタル３ｅ内に柱部材３ａの柱脚や取付部材が埋設されるものとなる。
【００２７】
基礎梁１ａと上部構造３との間に形成される換気路（「基礎天換気口」ともいう）Ｒは、モジュール化された複数の換気パッキン５によって形成される。換気パッキン５は、基礎梁１ａの内側の側部（一方の側部）１ｃから外側の側部（他方の側部）１ｄに向けて並べて配置される一対のパッキン形成部材６，７を組み合わせることで形成される。一対のパッキン形成部材６，７は、射出成形などで形成される樹脂製の部材である。以下、説明の便宜上、内側に配置されるパッキン形成部材６を内パッキン部材といい、外側に配置されるパッキン形成部材７を外パッキン部材という。
（内パッキン部材）
【００２８】
図４〜図６に示されるように、内パッキン部材６は、上部構造３を受ける平板部６ａと、平板部６ａの下面側に換気路Ｒを形成する換気部６ｂと、を備えている。平板部６ａは略矩形状であり、長手方向Ｌに沿って延在する境界段差６ｃを挟んで連結側と開放側とに分かれている。連結側、すなわち外パッキン部材７に連結される側の板厚は開放側の板厚に比べて板厚が薄くなっている。板厚の薄い連結側の領域は薄肉部６ｄ（図６参照）であり、板厚の厚い開放側の領域は厚肉部６ｅである。薄肉部６ｄと厚肉部６ｅとは境界段差６ｃを介して一体的に連結され、また、厚肉部６ｅは換気部６ｂと一体となって上部構造３を支持する。
【００２９】
換気部６ｂは、平板部６ａの下面側に突出された複数枚の板片６ｆ，６ｇを備えている。複数枚の板片の先端は基礎梁１ａの上端面に当接し、平板部６ａで受けた荷重を基礎梁１ａに伝達する。複数枚の板片６ｆ，６ｇは、厚肉部６ｅで一列に並んで設けられた複数の板片（出入口側板片）６ｆと、薄厚部で一列に並んで設けられた複数の板片（連絡口側板片）６ｇと、に分けられる。出入口側板片６ｆは、平板部６ａの厚肉部６ｅ側の縁Ｅａに沿って長手方向Ｌの一方の端部から他方の端部に亘って等間隔で突出している。また、連絡口側板片６ｇは、平板部６ａの薄肉部６ｄ側の縁Ｅｂに沿って長手方向Ｌの一方の端部から他方の端部に亘って等間隔で突出している。
【００３０】
出入口側板片６ｆは、板面の向き（法線方向）が平板部６ａの長手方向Ｌに沿った方向を向くように形成され、複数の出入口側板片６ｆは、同じ方向を向いて略平行に並んでいる。従って、出入口側板片６ｆの板面に沿った方向は、平板部６ａの長手方向Ｌに直交する方向（直交方向）となり、隣接する出入口側板片６ｆ同士の間には直交方向で通気される換気路Ｒが形成される。
【００３１】
なお、厚肉部６ｅの下面側には複数の柱体６ｈが突出して設けられている。複数の柱体６ｈは、出入口側板片６ｆよりも奥側で、且つ出入口側板片６ｆに対して平面視で千鳥状となるように配置されている。具体的には、柱体６ｈの径は、隣り合う出入口側板片６ｆ同士の間の幅寸法よりも小さく、この幅寸法の真中付近で、且つ奥側にずれて設けられている。従って、柱体６ｈと出入口側板片６ｆとの間には隙間があり、この隙間を通って換気用の気体が流動する。一方で、出入口側板片６ｆ同士の間の真中に柱体６ｈが設置されているので、柱体６ｈは、昆虫や小動物などの生き物が換気パッキン５内に入り込むのを防ぐ邪魔部材として機能する。
【００３２】
連絡口側板片６ｇは、板面の向き（法線方向）が平板部６ａの長手方向Ｌに沿った方向を向くように形成され、複数の連絡口側板片６ｇは、同じ方向を向いて略平行に並んでいる。従って、連絡口側板片６ｇの板面に沿った方向は、平板部６ａの長手方向Ｌに直交する方向（直交方向）となり、隣接する出入口側板片６ｆ同士の間には直交方向で通気される換気路Ｒが形成される。
【００３３】
薄肉部６ｄの下面側には、連絡口側板片６ｇに略平行に並んで複数枚（本実施形態では四枚）の補強板片（補強部）６ｉが突出して形成されている。補強板片６ｉの先端は、連絡口側板片６ｇや出入口側板片６ｆと同様に基礎梁１ａの上端に当接し、平板部６ａで受けた荷重を基礎梁１ａに伝達する。
【００３４】
補強板片６ｉは、換気路Ｒ内の気体の通過を阻害しないように、連絡口側板片６ｇや出入口側板片６ｆと同様に平板部６ａの長手方向Ｌに直交する方向（直交方向）に沿って延在する。その結果、補強板片６ｉは、内パッキン部材６が外パッキン部材７と連結されて換気パッキン５となり、基礎梁１ａの上部に配置された際に、基礎梁１ａの一方の側部１ｃ側から他方の側部１ｄ側に向けて延在する構成を具現化するものとなる。なお、本実施形態に係る補強板片６ｉは、平板部６ａの薄肉部６ｄ側の縁Ｅｂから薄肉部６ｄを直交方向に横切って境界段差６ｃの手前で途切れているが、補強板片６ｉが厚肉部６ｅまで到達するように設けてもよい。また、平板部６ａの補強板片６ｉを設ける領域を厚肉部６ｅと同程度に厚肉形成する構成を採用しても良い。
【００３５】
複数枚の補強板片６ｉは、同数ずつが平板部６ａの中央を挟むように配置されている。具体的には、四枚の補強板片６ｉが二枚ずつに分かれて対向配置されている。四枚の補強板片６ｉのうち、中央寄りの二枚の補強板片６ｉには、外パッキン部材７に連結される連結部９ａ，９ｂが設けられている。例えば、一方の補強板片６ｉには、補強板片６ｉから突き出すように設けられたが係止片９ａが設けられており、他方の補強板片６ｉには、係止片９ａの先端に設けられた爪に当接して引っ掛かる係合孔９ｂが設けられている。内パッキン部材６の平板部６ａは、外パッキン部材７の平板部６ａに突き合わされる。その際に、内パッキン部材６の係止片９ａの爪が外パッキン部材７の係合孔９ｂに嵌り込むことで着脱自在に連結され、また、内パッキン部材６の係合孔９ｂが外パッキン部材７の係止片９ａの凸部に係り合うことで着脱自在に連結される。
【００３６】
薄肉部６ｄには、開口ガイド部１１が設けられている。開口ガイド部１１は、内パッキン部材６を基礎梁１ａの上部に設置する際に、上部構造３から突き出た柱部材（突出部）３ａを避ける切欠部Ｃの形成を容易に行えるようにした部分である。開口ガイド部１１は、例えば、所定の切除ラインに沿った切り欠き溝であったり、ミシン目のような複数のスリットを形成したりして切除し易くした構成からなり、少なくとも、強度が薄肉部６ｄの他の部分よりも弱くなっている。
【００３７】
開口ガイド部１１は、平板部６ａの長手方向Ｌの端部から薄肉部６ｄ側の側部に亘って略Ｌ字状に形成されており、平板部６ａの長手方向Ｌの両方の端寄りの位置に設けられた外側の補強板片６ｉに沿った第１の直線部１１ａと、厚肉部６ｅと薄肉部６ｄとを区画する境界段差６ｃに沿った第２の直線部１１ｂとを備えている。
【００３８】
本実施形態に係る開口ガイド部１１は、強度の高い厚肉部６ｅに沿って形成され、開放されている平板部６ａの端部または側部に端が形成されているため、開口ガイド部１１に沿ってハサミ等の切断器具を挿入し易く、従って、開口ガイド部１１を切除して切欠部Ｃを形成し易いものなっている。また、平板部６ａの側部と端部との連絡部位である頂部６ｊが開口ガイド部１１に包囲されることとなり、その頂部６ｊが平板部６ａの長手方向Ｌから見ても或いは長手方向Ｌに垂直な方向から見ても片持ち梁状となっているため、端部力を加えやすく、さらには、その頂部６ｊに力を付与することで平板部６ａを開口ガイド部１１に沿って折り曲げて容易に切欠部Ｃを形成することができる。
【００３９】
なお、本実施形態に係る開口ガイド部１１は、中央寄りの補強板片６ｉに沿った第３の直線部１１ｃと、第２の直線部１１ｂに延長して第３の直線部１１ｃに連絡する第４の直線部１１ｄとを更に備えている。第３の直線部１１ｃや第４の直線部１１ｄも、第１の直線部１１ａや第２の直線部１１ｂと同様に所定の溝やスリットによって形成されている。第１の直線部１１ａの代わりに第３の直線部１１ｃで平板部６ａを切除して切欠部Ｃを形成することで、第１の直線部１１ａに沿って形成される切欠部Ｃよりも広い切欠部Ｃを形成することができる。本実施形態に係る開口ガイド部１１のように、複数の直線部１１ａ〜１１ｄによって異なる形状の切欠部Ｃを形成できる態様であると、種々の形状や寸法の柱部材（突出部）３ａや、外壁受けプレート３ｃを基礎１に連結支持させるための取り付け部材に対応して内パッキン部材６を配置することができ、モジュール化し易くなって標準化にも有利であり、製造面での利便性の向上を期待できる。
【００４０】
また、平板部６ａの長手方向Ｌの両端には、隣接して並ぶ他の内パッキン部材６に着脱自在に連結される結合部１２が設けられている。結合部１２は、例えば、Ｌ字状のフック部であったり、フック部に当接して引っ掛かる枠部であったりし、他の内パッキン部材６のフック部に対応した位置には枠部が設けられ、他の内パッキン部材６の枠部に対応した位置にはフック部が設けられている。なお、温度変化による内パッキン部材６自体の伸び縮みを吸収可能とするため、結合部１２は、隣接する内パッキン部材６同士の間に所定の遊びを確保して調整可能となるように構成されている。
（外パッキン部材）
【００４１】
次に、図３〜図５を参照して、外パッキン部材７について説明する。なお、外パッキン部材７は、実質的に内パッキン部材６と同様の要素や部材などを備えており、これらの要素や部材などについては、内パッキン部材６と同一の符号を付して、詳細な説明を省略する。
【００４２】
外パッキン部材７は、上部構造３を受ける平板部７ａと、平板部７ａの下面側に換気路Ｒを形成する換気部７ｂと、を備えている。平板部７ａは、境界段差７ｃを挟んで連結側と反対側とに分かれている。連結側、すなわち内パッキン部材６に連結される側の領域は薄肉部７ｄであり、反対側の領域は厚肉部７ｅである。
【００４３】
換気部７ｂは、平板部７ａの下面側に突出された複数枚の出入口側板片６ｆと、複数枚の連絡口側板片６ｇと、複数の柱体６ｈとを備えており、複数枚の出入口側板片６ｆと複数の柱体６ｈとは厚肉部７ｅの下面側に設けられ、複数枚の連絡口側板片６ｇは薄肉部７ｄの下面側に設けられている。
【００４４】
薄肉部６ｄの下面側には、連絡口側板片６ｇに略平行に並んで複数枚の補強板片（補強部）６ｉが突出して形成されている。補強板片６ｉには、内パッキン部材６の連結部９ａ，９ｂと着脱自在に連結される連結部９ｂ，９ａが設けられている。
【００４５】
薄肉部６ｄには、開口ガイド部１１が設けられている。開口ガイド部１１は、内パッキン部材６を基礎梁１ａの上部に設置する際に、上部構造３から突き出た柱部材（突出部）３ａを避ける切欠部Ｃの形成を容易に行えるようにした部分である。開口ガイド部１１は、例えば、所定の切除ラインに沿った溝を切ったり、ミシン目のような複数のスリットを形成したりして切除し易くした構成からなり、少なくとも、強度が薄肉部６ｄの他の部分よりも弱くなっている。
【００４６】
開口ガイド部１１は、第１の直線部１１ａ、第２の直線部１１ｂ、第３の直線部１１ｃ、及び第４の直線部１１ｄを有している。開口ガイド部１１に沿って平板部７ａを切除することにより、略矩形の板片が取り除かれて切欠部Ｃが形成される。この切欠部Ｃは、内パッキン部材６に形成される切欠部Ｃ、及び他の換気パッキン５に形成される切欠部Ｃと協働して柱部材３ａなどの突出部の周囲を取り囲むような開口となる。
【００４７】
外パッキン部材７は、内パッキン部材６よりも建物の外側に配置されるため、外パッキン部材７には、雨水の浸入を防ぐ水切り部１３が設けられている。水切り部１３は、断面略Ｌ字状になっており（図６参照）、平板部７ａの厚肉部６ｅの縁Ｅａから張り出すように設けられた、ひさし部１３ａと、ひさし部１３ａの前方端から下方（平板部７ａの下面側）に向けて突き出すように設けられた覆い部１３ｂとを備えている。
【００４８】
また、水切り部１３は、平板部７ａと一体成形された本体部１３ｃと、本体部の外表面に形成された耐火部１３ｄとを備えている。本体部１３ｃの外表面側には層状の耐火部１３ｄを形成するための凹部が形成されており、この凹部に２ｍｍ以下の金属製メッシュや金属板などを嵌め込むように装着することで耐火部１３ｄが形成される。
【００４９】
外パッキン部材７に水切り部１３を設けることで、換気部７ｂの内部に向けての雨水の浸入を防止することができる。また、換気部７ｂの出入口側板片６ｆが水切り部１３で覆われることとなるので、複数の出入口側板片６ｆが水切り部１３によって隠されることとなり、意匠性の向上が図られることはもちろん、出入口側板片６ｆの間に物を詰め込む等の悪戯の防止も図ることができる。
【００５０】
ひさし部１３ａの上面側、すなわち上部構造３を受ける面側には、平板部７ａの長手方向Ｌに沿った溝１３ｅが形成されている。上部構造３から水切り部１３上面に伝ってくる水分は、毛管現象等によりそのまま上部構造３と外パッキン部材７との間を伝って室内内部に流れ込む経路が生じると考えられる。ここで、本実施形態では、その経路を横切るように溝１３ｅが形成されることとなるので、経路を通る水分は、溝１３ｅに受け止められることとなり、室内側にまで水が伝わってしまうことを著しく抑制することができる。
【００５１】
換気パッキン５は、上述の内パッキン部材６の平板部６ａと外パッキン部材７の平板部７ａとを突き合わせ、互いの連結部９ａ，９ｂ同士を連結することで一体化される。換気パッキン５を基礎梁１ａの上部に配置して基礎梁１ａと上部構造３との間に介装する際には、換気パッキン５の開口ガイド部１１を切り欠くことで柱部材３ａに対応した切欠部Ｃを形成し、その切欠部Ｃを柱部材３ａに突き当てるように設置される。
【００５２】
上述の内パッキン部材６と外パッキン部材７を、例えば、上部構造３からの柱部材３ａに対向しない位置に設置する際には、平板部７ａは塞がれているので、モルタル３ｅ等が換気路Ｒに流れ込む虞はなく、換気路Ｒの通気機能を良好に発揮させることができる。また、上部構造３の柱部材Ｒに対応する位置に設置される場合には、開口ガイド部１１を切除などして平板部７ａに切欠部Ｃを形成することで容易に柱部材３ａを避けることができ、従って、柱部材３ａの周囲に換気パッキン５を配置することが可能となる。その結果として、本実施形態によれば、モルタル３ｅ等の流入を規制しつつ、柱部材３ａ等の突出部周囲であっても設置可能な換気パッキン５を形成することができる。
【００５３】
さらに本実施形態では、同一形状からなる複数の内パッキン部材６と同一形状からなる複数の外パッキン部材７とを適宜に組み合わせて配置することで基礎１全体での換気路Ｒの主要部分を形成できる。従って、換気路Ｒを形成するための換気パッキン５を準備するに当たって、内パッキン部材用と外パッキン部材用との二つの金型を準備しておけば足りるため、結果的に少ない金型で多様な基礎１の形状に対応させることができてコスト面でも有利である。
【００５４】
さらに、開口ガイド部１１は薄肉部６ｄに形成されているので、開口ガイド部１１に沿って平板部７ａの一部を切り離し易い構成を実現できる。さらには、平板部７ａは、換気部７ｂと対応する位置が厚肉部６ｅとして形成されるため、その厚肉部６ｅと換気部７ｂとが一体となって強度を発揮することとなる。その結果、上部構造３と基礎梁１ａの間に配置された際の挟持力にも充分に耐える構成を実現し易くなる。
【００５５】
さらに、平板部７ａの薄肉部６ｄの下面側には補強板片６ｉ（補強部）が設けられているので内パッキン部材６または外パッキン部材７の強度向上に有効である。また、補強板片６ｉには、連結部９ａ，９ｂが設けられており、平板部７ａの薄肉部６ｄの少なくとも一部に補強板片６ｉが延在することとなるので、内パッキン部材６と外パッキン部材７とを連結して形成される換気パッキン５の更なる強度向上に有効である。
【００５６】
また、内パッキン部材６と外パッキン部材７との補強板片６ｉ同士を連結部９ａ，９ｂにより連結することで換気パッキン５を容易に形成することができる。また、このようにして形成される換気パッキン５は、平板部７ａ同士を突き合わされた状態で連結されるので上面の平坦さは維持されることとなり、換気パッキン５の上面に不陸が生じることを防止することができるものとなっている。
【００５７】
さらに本実施形態に係る換気部７ｂは、平板部７ａの長手方向Ｌの一方の端部から他方の端部に亘って等間隔で突出する複数枚の板片６ｆ，６ｇを備えている。その結果、換気部７ｂの強度を平板部７ａの長手方向Ｌに亘って均質に維持した状態で、長手方向Ｌに亘って均質な性能を有する換気路Ｒを形成することができる。
【００５８】
以上、本発明をその実施形態に基づき具体的に説明したが、本発明は、上記実施形態に限定されるものではない。例えば、換気パッキンを形成する一対のパッキン形成部材は連結部を除いて全く同じ形状とすることもできる。また、上記のパッキン形成部材を連結した換気パッキンを当初から１部材の換気パッキンとして形成する構成を採用することももちろん可能である。さらには、鉄筋コンクリート製の基礎梁に換えて鉄骨等の鋼材からなる基礎梁を採用する場合も、本発明と同様の効果を奏するものとなる。
【符号の説明】
【００５９】
１…基礎、１ａ…基礎梁、１ｃ…基礎梁の一方の側部（基礎の一方の側部）、１ｄ…基礎梁の他方の側部（基礎の他方の側部）、３…上部構造、３ａ…柱部材（突出部）、５…換気パッキン、６…内パッキン部材（パッキン形成部材）、７…外パッキン部材（パッキン形成部材）、６ａ，７ａ…平板部、６ｂ，７ｂ…換気部、６ｅ，７ｅ…厚肉部、６ｄ，７ｄ…薄肉部、６ｆ…出入口側板片、６ｇ…連絡口側板片、６ｉ…補強板片（補強部）、９ａ，９ｂ…連結部、１１…開口ガイド部、１３…水切り部、１３ｅ…溝、Ｒ…換気路、Ｃ…切欠部、Ｌ…平板部の長手方向、Ｅａ…平板部の縁。
【図１】
2011226206.tif 000003
【図２】
2011226206.tif 000004
【図３】
2011226206.tif 000005
【図４】
2011226206.tif 000006
【図５】
2011226206.tif 000007
【図６】
2011226206.tif 000008